(57)【要約】      （修正有）【課題】屋外に配置したとしても劣化が少なく長期間使用可能な手すりおよび手すりユニットを提供する。【解決手段】手すり２、および手すりを支えるブラケットを備えた手すりユニットに関し、手すりは、長尺の握り棒２１と、握り棒に形成された、ポリウレア樹脂を含有する被膜４とを有する。手すりには、照明手段が設けられ、照明手段は、光源２２２と、光源を覆う、透光性を有するカバー部材２４とを有する。また手すりには、長手方向に延在する凹部２１１が設けられ、カバー部材は、凹部に配置され、凹部を画定する縁部に隣接するカバー表面２４１を形成し、被膜４は、縁部とカバー表面との境を覆うように形成されている。【選択図】図３
0003216448.tif 000002
【実用新案登録請求の範囲】
【請求項１】
長尺の手すり構成部材と、
前記手すり構成部材に形成された、ポリウレア樹脂を含有する被膜とを有することを特徴とする手すり。
【請求項２】
前記手すり構成部材は、照明手段が設けられたものであり、
前記照明手段は、光源と、該光源を覆う、透光性を有するカバー部材とを有するものであることを特徴とする請求項１記載の手すり。
【請求項３】
前記手すり構成部材は、長手方向に延在する凹部が設けられたものであり、
前記カバー部材は、前記凹部に配置され、該凹部を画定する縁部に隣接するカバー表面を形成するものであり、
前記被膜は、前記縁部と前記カバー表面との境を覆うように形成されたものであることを特徴とする請求項２に記載の手すり。
【請求項４】
前記手すり構成部材は木製のものであることを特徴とする請求項１から３のうちいずれか１項に記載の手すり。
【請求項５】
前記手すり構成部材は表面に下地塗装が施されたものであり、
前記被膜は、前記下地塗装の上に形成されたものであることを特徴とする請求項１から４のうちいずれか１項に記載の手すり。
【請求項６】
前記被膜は、膜厚が０．２ｍｍ以上２ｍｍ以下のものであることを特徴とする請求項１から５のうちいずれか１項に記載の手すり。
【請求項７】
表面にポリウレア樹脂を含有する被膜が形成された被膜部分と表面が露出した露出部分とを有する長尺の手すり構成部材と、
前記手すり構成部材の前記露出部分が挿入され、該手すり構成部材を支えるブラケットと、
前記ブラケットと該ブラケットに挿入された前記露出部分との間に配置され、前記被膜に連結したシーリング部材とを有するものであることを特徴とする手すりユニット。
【考案の詳細な説明】
【技術分野】
【０００１】
本考案は、手すり、およびその手すりを支えるブラケットを備えた手すりユニットに関する。
【背景技術】
【０００２】
階段の昇り降りや通路の歩行等を補助する手すりユニットが、屋内および屋外に設置されている。手すりユニットは、壁面に固定されたブラケット等によって支えられた手すりを備えている。手すりは、長尺な手すり構成部材を主たる部材として構成されている。利用者は、階段を昇り降りする際や通路を歩行する際などに手すり構成部材を掴むことによって足腰にかかる負担を軽減することができる。この手すり構成部材の表面にポリウレタン等の樹脂塗料を複数回重ね塗りすることで被膜を形成した手すりが提案されている（例えば、特許文献１参照）。被膜を形成することで、手すりの意匠性を高めることや、手すりに滑り止め等の機能を付加することができる。
【０００３】
この特許文献１記載の手すりは、樹脂塗料を塗ることで下層となる被膜を形成し、その下層の被膜が乾燥する前に次の層となる樹脂塗料を重ね塗りし、その重ね塗り作業を複数回繰り返すことで塗料の密着性を高めた被膜を形成している。また、重ね塗りすることで、膜厚を厚くしている。
【先行技術文献】
【特許文献】
【０００４】
【特許文献１】特開２０１６−２０３３９１号公報
【考案の概要】
【考案が解決しようとする課題】
【０００５】
しかしながら、手すりを屋外に配置した場合、太陽光や風雨に手すりが曝されてしまう。このため、ポリウレタン樹脂等の一般的な樹脂塗料では重ね塗りしたとしても、太陽光に含まれる紫外線や雨水などによる加水分解によって樹脂が急速に劣化してしまい、短期間で被膜が剥がれてきて手すりの意匠性が低下してしまうという問題があった。また、被膜が剥がれた部分から水分等が手すり構成部材に到達することで手すり構成部材に腐食や酸化等が発生し、手すり構成部材が使用不能になってしまうことがあった。
【０００６】
本考案は上記事情に鑑み、屋外に配置したとしても劣化が少なく長期間使用可能な手すりおよび手すりユニットを提供することを目的とする。
【課題を解決するための手段】
【０００７】
上記課題を解決する本考案の手すりは、長尺の手すり構成部材と、前記手すり構成部材に形成された、ポリウレア樹脂を含有する被膜とを有することを特徴とする。
【０００８】
本考案の手すりによれば、前記被膜を手すり構成部材に形成することで、屋外に配置したとしても該手すりを長期間使用することが可能になる。
【０００９】
また、前記手すり構成部材は、照明手段が設けられたものであり、前記照明手段は、光源と、該光源を覆う、透光性を有するカバー部材とを有するものであってもよい。
【００１０】
ここで、前記光源はＬＥＤであってもよく、前記照明手段は、利用者の足元などを照らすものであってもよい。また、前記照明手段は、利用者が接近したことを人感センサ等が感知すると点灯するものであってもよいし、利用者が操作子を操作することで点灯するものであってもよい。さらに、前記照明手段は、地震や火災などの災害発生時に自動的に点灯するものであってもよい。
【００１１】
前記照明手段を設けることで、周囲にいる人は暗い時でも手すりの存在にすぐに気付くことができる。また、手すりの周囲に荷物や凸部などの歩行の障害になるものが存在するか否かをすぐに把握することができる。さらに、この手すりを階段に設置した場合は階段の形状が目視で理解できるので、足をぶつけることや階段を踏み外すことを抑制できる。加えて、例えば非常階段などにこの手すりを設置すれば、災害時に避難先に誘導する誘導灯として活用できる。また、前記照明手段が前記カバー部材を有することで、前記手すりの使用者が高温になりがちな光源等に直接触れて火傷してしまうことを防止できる。
【００１２】
さらに、前記手すり構成部材は、長手方向に延在する凹部が設けられたものであり、前記カバー部材は、前記凹部に配置され、該凹部を画定する縁部に隣接するカバー表面を形成するものであり、前記被膜は、前記縁部と前記カバー表面との境を覆うように形成されたものであることが好ましい。
【００１３】
前記境を、前記被膜で覆うことで、その境部分に雨水などが毛細管現象等によって侵入してしまうことを防止できる。雨水などの侵入を防止することで、手すりの劣化を抑制できる。
【００１４】
上述の手すりにおいて、前記手すり構成部材は木製のものであってもよい。
【００１５】
ここで、木の種類は特に限定されないが、杉材、檜材、またはタモ材であることが好ましい。このうちタモ材は加工性がよく、靭性および弾力性に富んでいるため特に好ましい。
【００１６】
ポリウレア樹脂は高い防水性を備えているので、前記被膜を木製の前記手すり構成部材に形成することで、該手すり構成部材が雨水などによって腐食してしまうことを防止できる。また、特に前記手すりが屋外に配置された場合、冬季には該手すりの温度が氷点下になることも考えられる。しかし、木は熱伝導率がアルミや鉄などの金属よりも低いため、木製の前記手すり構成部材を用いることで使用者が前記手すりに触れても極度に冷たく感じてしまうことを抑制することができる。また、木製の前記手すり構成部材は、金属製のものと比較して軽いため取り扱いが容易で簡単に施工できるといった効果がある。
【００１７】
さらに、前記手すり構成部材は表面に下地塗装が施されたものであり、前記被膜は該下地塗装の上に形成されたものであってもよい。
【００１８】
ここで、前記下地塗装はトルエン系またはエポキシ系の塗料を用いることが好ましいが、木とポリウレア樹脂の両方と密着性が高ければ他の塗料を用いてもよい。
【００１９】
前記下地塗装を施すことで、木製の手すり構成部材および下地塗装、並びに下地塗装とポリウレア樹脂を含む被膜それぞれの密着性を高め、ポリウレア樹脂の被膜をより剥がれにくくすることができる。
【００２０】
またさらに、前記被膜は、膜厚が０．２ｍｍ以上２ｍｍ以下のものであってもよい。
【００２１】
こうすることで、前記被膜の耐久性が低くなってしまうことを抑制しつつ、前記手すり構成部材の材質を使用者は感じることができる。特に前記手すり構成部材が木製の場合は冬季に使用者が前記手すりに触れても極度に冷たく感じてしまうことを抑制できる。
【００２２】
上記課題を解決する本考案の手すりユニットは、表面にポリウレア樹脂を含有する被膜が形成された被膜部分と表面が露出した露出部分とを有する長尺の手すり構成部材と、前記手すり構成部材の前記露出部分が挿入され、該手すり構成部材を支えるブラケットと、前記ブラケットと該ブラケットに挿入された前記露出部分との間に配置され、前記被膜に連結したシーリング部材とを有するものであることを特徴とする。
【００２３】
ここで、前記シーリング部材は防水性能が高いものであれば種類は問わないが、例えば、シリコーン製のものであってもよい。
【００２４】
こうすることで、前記手すりを屋外に配置したとしても前記ブラケットに挿入された前記手すり構成部材の露出部分に雨水などが到達することを防止できるので、該手すりの劣化を抑制することができる。
【考案の効果】
【００２５】
本考案によれば、屋外に配置したとしても劣化が少なく長期間使用可能な手すりおよび手すりユニットを提供することができる。
【図面の簡単な説明】
【００２６】
【図１】本考案の一実施形態である手すりユニットの設置状態の一例を示す正面図である。
【図２】（ａ）は、図１に示す手すりの分解斜視図であり、（ｂ）は、図１に示すブラケットの分解斜視図である。
【図３】手すりの端部を、握り棒の長手方向から見た図である。
【図４】手すりを下方からみた底面図である。
【図５】（ａ）は、図１に示す手すりユニットのＡ部を拡大して示す図であり、（ｂ）は、手すりをブラケットに挿入する前における同図（ａ）に対応する部分を示す図である。
【図６】図６（ａ）は、図１に示す中間ブラケットの分解斜視図であり、（ｂ）は、図１に示す手すりユニットのＢ部を拡大して示す図である。
【考案を実施するための形態】
【００２７】
以下、図面を参照して本考案の実施の形態を説明する。
【００２８】
図１は、本考案の一実施形態である手すりユニットの設置状態の一例を示す正面図である。
【００２９】
図１に示すように、本実施形態の手すりユニット１は、２本の手すり２と、手すり２を支える３つのブラケット３とを備えている。３つのブラケット３は、建造物の外壁面Ｗに水平方向に互いに間隔をあけて固定されている。この手すりユニット１は、屋外避難通路Ｅに沿って配置されたものである。以下、図の左側に示すブラケット３を第１端部ブラケット３０１と称することがあり、図の右側に示すブラケット３を第２端部ブラケット３０２と称することがある。また、第１端部ブラケット３０１と第２端部ブラケット３０２との間に示されたブラケットを中間ブラケット３０３と称することがある。第１端部ブラケット３０１と中間ブラケット３０３それぞれは、一方の手すり２の端部を支えている。また、中間ブラケット３０３と第２端部ブラケット３０２それぞれは、他方の手すり２の端部を支えている。なお、本実施形態では、手すり２の中心の高さを、地面から８０ｃｍ程度の位置に設定している。外壁面Ｗには、人感センサ６が設けられている。この人感センサ６は、手すりユニット１に接近した利用者を感知するためのものである。
【００３０】
手すり２は、後述する握り棒２１（図２参照）を備えており、握り棒２１の表面には、図１においてドット模様で示した被膜４が形成されている。この被膜４については後ほど詳述する。また、図１では、左右方向が、握り棒２１の長手方向になる。以下、握り棒２１の長手方向を単に長手方向と称することがある。また、握り棒２１の長手方向を基準にして他の構成部品を説明する場合がある。
【００３１】
図２（ａ）は、図１に示す手すり本体の分解斜視図である。なお、図２（ａ）では、後述するＬＥＤユニットを示すため、このＬＥＤユニットを上方に向けた状態を示している。なお、図２（ａ）では被膜４を省略している。
【００３２】
図２（ａ）に示すように、手すり２は、握り棒２１と、ＬＥＤユニット２２と、ＬＥＤユニット２２に一端側が接続した導線２３と、照明カバー２４を備えている。握り棒２１は長尺なものであり、手すり構成部材の一例に相当する。本実施形態では、握り棒２１の長手方向の長さが例えば９００ｍｍ程度に設定されている。また、握り棒２１には、長手方向に延在した凹部２１１が形成されている。この握り棒２１の端面形状および長手方向に直行する方向に切断したとき断面形状は長手方向にわたって全て同一形状である。
【００３３】
ＬＥＤユニット２２は、基板２２１と、この基板２２１のランド部２２１ａに実装されたＬＥＤ２２２を有している。基板２２１は、握り棒２１の凹部２１１の底面２１１ａにクッションテープ２２３（図３参照）を介して固定されている。本実施形態では、２枚の基板２２１が、握り棒２１の長手方向に配置され、この基板２２１には、複数のランド部２２１ａが握り棒２１の長手方向に所定の間隔をあけて設けられている。また、本実施形態では、それぞれの基板２２１に、６つのＬＥＤ２２２が実装されている。すなわち、ＬＥＤ２２２は、握り棒２１の長手方向に所定の間隔をあけて配置されている。ＬＥＤ２２２は、その発光色が限られるものではないが、本実施形態では、青白色、蛍光灯色、電球色、あるいは赤白色等の中から１種類の発光色のＬＥＤ２２２を選択して基板２２１に実装している。図１に示すように、手すり２の中心高さが屋外避難通路Ｅから８０ｃｍ程度になるように手すりユニット１を設置した場合、ＬＥＤ２２２による屋外避難通路Ｅ付近の照度は、２０ルクス〜５０ルクスである。本実施形態の基板２２１では、３個のランド部２２１ａに対して１個のＬＥＤ２２２を配置しているが、すべてのランド部２２１ａにＬＥＤ２２２を配置することで照度を高めてもよい。また、複数の発光色のＬＥＤ２２２を実装しておき、そのうちのいずれか１色のＬＥＤ２２２を選択して発光させてもよいし、複数の発光色のＬＥＤ２２２を同時に発光させてもよい。また、避難方向を示すために避難方向に向かって長手方向に沿って順次点灯するようにＬＥＤ２２２の発光タイミングを制御すれば、災害時に避難先に誘導する誘導灯としてより誘導効果が期待できる。
【００３４】
導線２３は、商用電源から供給される電力をＬＥＤユニット２２に供給するものである。図示は省略するが、商用電源のコンセントに接続したＡＣアダプタが電源ボックス等に接続され、この電源ボックス等から延びる分配線が導線２３に接続される。商用電源からＡＣアダプタに交流電力が入力されると、ＡＣアダプタから１２Ｖあるいは２４Ｖの直流電力が出力され、この直流電力が電源ボックス等に供給される。この電源ボックスから、分配線と導線２３を流れてＬＥＤユニット２２に直流電力が供給され、ＬＥＤユニット２２のＬＥＤ２２２が発光する。すなわち、ＬＥＤ２２２は光源の一例に相当する。なお、光源として、蛍光灯や白熱電球を用いることもできる。ただし、ＬＥＤは、消費電力が少なく、また、発熱量も少ないため手すり２が熱くなりにくい。このため、光源としてはＬＥＤを用いることが好ましい。手すり２における各基板２２１の回路は、導線やはんだ付け等によって並列に接続されている。また、図１に示す２本の手すり２におけるそれぞれの基板２２１どうしの回路も不図示の導線等によって並列に接続されている。
【００３５】
照明カバー２４は、透光性を有する半円筒状のものである。この照明カバー２４の外側面であるおもて面（以下、カバー表面２４１と称することがある）は光沢を有しており、内側面である裏面２４２はマット調に構成されている。カバー裏面をマット調にすることで照明カバー２４は全体として半透明に構成されている。この照明カバー２４は、握り棒２１の長手方向にわたって凹部２１１に取り付けられることで、凹部２１１内に固定されたＬＥＤユニット２２を覆うものである。この照明カバー２４およびＬＥＤユニット２２が照明手段の一例に相当する。
【００３６】
図２（ｂ）は、図１に示すブラケットの分解斜視図である。この図２（ｂ）では、左下方と右上方とを結ぶ方向が、握り棒２１の長手方向に相当する。ここでは、第２端部ブラケット３０２を例に挙げて説明する。第１端部ブラケット３０１は、第２端部ブラケット３０２に対して、長手方向に直行する面を対称面として面対称の構成をしているため説明を省略する。また、中間ブラケット３０３については、第２端部ブラケット３０２との違いを後述する。
【００３７】
図２（ｂ）に示すように、第２端部ブラケット３０２は、ブラケット本体３１と蓋体３２とを備えている。ブラケット本体３１は、例えば亜鉛合金などの金属製の一体のものである。また、ブラケット本体３１は、図１に示す外壁面Ｗの表面に固定される固定部３１１と、手すり２の端部を支える支持部３１２と、固定部３１１と支持部３１２とを連結する連結部３１３を有している。固定部３１１には、ねじ孔３１１ａと、第１貫通孔３１１ｂが設けられている。ブラケット本体３１は、ねじ孔３１１ａに挿通される図示しないねじによって外壁面Ｗに固定される。支持部３１２は、長手方向の一方側（図では右側）の端部が壁部３１２１で閉塞された円筒形状をしている。支持部３１２は、内部に筒状の内周面３１２ａを有している。そして、支持部３１２の前記一方側に対する他方側の端部は、内周面３１２ａに連なる支持縁部３１２ｂによって画定された開口を有している。また、支持部３１２の、長手方向中央部分には、内周面３１２ａから連結部３１３側に貫通した第２貫通孔３１２ｃが設けられている。ＬＥＤユニット２２から延在する導線２３（図２（ａ）参照）は、上述の第２貫通孔３１２ｃを通して第１貫通孔３１１ｂに挿入され外壁面Ｗの裏側で分配線に接続される。蓋体３２は、例えばポリプロピレンなどの樹脂製のものであり、ブラケット本体３１の固定部３１１および連結部３１３に対して着脱自在に取り付けられる。ブラケット本体３１に蓋体３２が取り付けられた状態では、ブラケット本体３１と蓋体３２との間に、所定の空間が形成され、この空間に第２貫通孔３１２ｃと第１貫通孔３１１ｂそれぞれが開口した状態になる。ブラケット内部の空間に通された導線２３およびねじ孔３１１ａに通された不図示のねじの頭部は、蓋体３２によって隠すことができる。
【００３８】
図３は、手すりの端部を、握り棒の長手方向から見た図である。図３では紙面に直交する方向が長手方向になる。また、この図３では導線は省略している。なお、本実施形態における下方とは、図１に示すように手すりが壁面等に設置されたときの重力方向である。
【００３９】
握り棒２１は木製であり、本実施形態では無垢のタモ材を用いている。タモ材は加工性がよく、折れにくい性質を有しているので握り棒２１の材質とて最適であるが、杉材や檜材など、他の木を用いてもよく、金属製の棒材を用いても良い。また、握り棒２１を集成材で形成してもよい。図３に示すように、握り棒２１の端面形状は、下方部分に凹部２１１を有する円形をしている。以下、握り棒２１の凹部２１１を除く部分を円形部分２１２と称することがある。この円形部分２１２の直径は、本実施形態では３５ｍｍであるが、手すりとして機能する範囲で他の直径のものを用いてもよい。凹部は、底面２１１ａと２つの側壁２１１ｂによって形成されている。２つの側壁２１１ｂそれぞれには、円弧状のごく僅かなへこみである溝部２１１ｃが形成されている。円形部分２１２の下端には側壁２１１ｂに連なり、凹部２１１を画定する平面状の縁部２１３が形成されている。
【００４０】
上述したように、ＬＥＤユニット２２は、基板２２１が凹部２１１の底面２１１ａにクッションテープ２２３を介して固定されることで、凹部２１１の底部に固定されている。照明カバー２４は、樹脂製であり、本実施形態ではポリカーボネイト製である。照明カバー２４の端面形状および長手方向に直行する方向に切断したときの断面形状は長手方向にわたって全て同一の半円環形状をしている。この照明カバー２４の上端は、基板２２１に突き当てられ、下方部分は、握り棒２１の凹部２１１を画定する縁部２１３よりも下方に突出している。照明カバー２４のカバー表面２４１は、縁部２１３に隣接して配置されている。この照明カバー２４は、照明カバー２４自身の弾性により凹部２１１の側面に設けられた溝部２１１ｃに嵌まり込むことで握り棒２１に固定されている。
【００４１】
握り棒２１の円形部分２１２の表面には、下地塗装２１４が施されており、下地塗装２１４の上には被膜４が形成されている。下地塗装２１４は、握り棒２１を構成する木材と密着性が高く、かつ被膜４の主成分であるポリウレア樹脂とも密着性が高いエポキシ系のものである。ただし、エポキシ系同様に握り棒２１の木材および被膜４と密着性が高いトルエン系のものを用いてもよく、他の密着性の高い部材を用いてもよい。照明カバー２４のカバー表面２４１の一部にも被膜４が形成されている。被膜４は、ポリウレア樹脂で構成されている。被膜４は、ポリウレア樹脂を含有していれば、他の樹脂などとの混合物であっても構わないが、ポリウレア樹脂を５０％以上含有していることが望ましく、８０％含有していることがより望ましい。ポリウレア樹脂を含有する被膜４で手すり２の表面を被覆することで、例え屋外に手すり２を配置したとしても、被膜４の劣化を少なくすることができ、手すり２を長期間使用することが可能になる。本実施形態における被膜４は、握り棒２１にＬＥＤユニット２２および照明カバー２４を組付けた状態で吹き付け塗装により形成されたものである。ただし、刷毛塗りなど、他の工法で被膜４を形成してもよい。また、ポリウレア樹脂と密着性の高い材質の握り棒２１を採用した場合は下地塗装２１４を省略してもよい。
【００４２】
図４は、手すりを下方からみた底面図である。図４では左右方向が握り棒の長手方向になる。また、図４では導線は省略している。
【００４３】
図４に示すように、照明カバー２４は、その長手方向の長さが、握り棒２１の長手方向の長さよりも若干短く設定されている。被膜４は、照明カバー２４の長手方向の長さよりも若干短い範囲であって、握り棒２１および照明カバー２４のうち、照明カバー２４の下方部分を除く部分を覆っている。すなわち、被膜４は、円形部分２１２の表面および縁部２１３のほぼ全域を覆う握り棒被覆部４ａと、カバー表面２４１の、縁部２１３に隣接する部分を覆うカバー被覆部４ｂと、照明カバー２４の長手方向の両端部分でカバー表面２４１を覆うカバー両端被覆部４ｃとを有する。握り棒被覆部４ａとカバー被覆部４ｂとカバー両端被覆部４ｃとは一体に形成されている。以下、この被膜４が形成されている部分を被膜部分と称することがある。握り棒被覆部４ａとカバー被覆部４ｂが一体に形成されることで、縁部２１３とカバー表面２４１との境は被膜４で覆われている。これにより、その境部分に雨水などが毛細管現象によって侵入してしまうことを防止できるので、手すり２が雨水などで劣化してしまうことを抑制できる。また、雨水などが図２（ａ）および図３に示した基板２２１に到達してＬＥＤユニット２２が故障してしまうことも防止できる。なお、カバー被覆部４ｂの、カバー表面２４１周方向における幅、すなわち照明カバー２４の被覆幅は１ｍｍ程度に形成されている。この幅が広すぎると被膜４により光がさえぎられる領域が広くなりＬＥＤ２２２による照度が低下してしまう。逆に、狭すぎると防水機能が低下してしまうため、被覆幅は０．５ｍｍ以上３ｍｍ以下とすることが望ましい。
【００４４】
被膜４は、表面に凹凸を有するように形成されており、その平均膜厚は１ｍｍである。表面に凹凸を有することで滑り止め効果が高まる上に意匠性を高めることができる。平均膜厚は、０．１ｍｍ以上３ｍｍ以下が好ましく０．２ｍｍ以上２ｍｍ以下がより好ましい。これらの範囲にすることで被膜の耐久性が低くなってしまうことを抑制しつつ、手すり２に触れた使用者が冬季でも極度に冷たく感じてしまうことを抑制できる。つまり、耐久性を維持しつつ握り棒２１の材質である木のぬくもりを使用者に感じさせることができる。なお、被膜４は、表面が平坦なものであってもよい。表面が平坦な場合にも膜厚は０．１ｍｍ以上３ｍｍ以下が好ましく０．２ｍｍ以上２ｍｍ以下がより好ましい。
【００４５】
図５（ａ）は、図１に示す手すりユニットのＡ部を拡大して示す図である。図５（ａ）では、左右方向が握り棒の長手方向になる。なお、図５では、図面を簡略化するため、壁面は省略している。
【００４６】
上述したように、第２端部ブラケット３０２の支持部３１２は、握り棒２１の長手方向の一方側（図では右側）が、壁部３１２１で閉塞されている。この壁部３１２１は、手すりユニット１における長手方向の端面を形成するものである。支持部３１２の内周面３１２ａと手すり２の端部の間にはシリコーン製のシーリング部材５が配置されている。また、握り棒２１の表面に形成された被膜４の端部と第２端部ブラケット３０２の支持縁部３１２ｂとの間にもシーリング部材５が配置されている。図５ではシーリング部材５はハッチングで示されている。
【００４７】
図５（ａ）に示すように、ＬＥＤユニット２２（図２（ａ）参照）に接続された導線２３は、第２端部ブラケット３０２の第２貫通孔３１２ｃに挿通され、連結部３１３と蓋体３２との間の空間、すなわち第２端部ブラケット３０２の内部空間に入り込んでいる。さらに、導線２３は、第２端部ブラケット３０２の内部空間から、第１貫通孔３１１ｂ（図２（ｂ）参照）に挿通され、電源ボックス等から延びる不図示の分配線等に接続されている。
【００４８】
図５（ｂ）は、手すりをブラケットに挿入する前における同図（ａ）に対応する部分を示す図である。
【００４９】
握り棒２１の長手方向の両端部は、被膜４が形成されていない部分があり、その部分では握り棒２１の表面が露出している。以下、握り棒２１の表面が露出している部分を露出部分２１ａと称することがある。すなわち、握り棒２１は、ポリウレア樹脂を含有する被膜４が形成された被膜部分と表面が露出した露出部分２１ａとを有している。
【００５０】
手すり２を挿入する前の、第２端部ブラケット３０２の支持部３１２の内側には、粘性を有する液体の状態のシーリング部材５が塗布されている。本実施形態では、壁部３１２１の内側面３１２１ａおよび内周面３１２ａにシーリング部材５が塗布されているが、内側面３１２１ａおよび内周面３１２ａのうちの一方のみに塗布されていてもよい。この内周面３１２ａに、手すり２の長手方向の一端が内側面３１２１ａに突き当たるまで挿入される。そして、不図示のねじ等によって第２端部ブラケット３０２に手すり２が固定される。
【００５１】
手すり２が支持部３１２に挿入されると、内側面３１２１ａおよび内周面３１２ａに塗布された液体の状態のシーリング部材５は、握り棒２１の露出部分２１ａと内周面３１２ａとの間の隙間を埋めように流動する。また、その隙間に入りきらないシーリング部材５は、第２端部ブラケット３０２から溢れ出し、第２端部ブラケット３０２の支持縁部３１２ｂと被膜４との間にある、握り棒２１の露出部分２１ａの表面を覆い、被膜４に連結した状態になる。その状態でシーリング部材５が固化することで雨水などが握り棒２１の露出部分２１ａに到達することを防止することができる。そして、雨水の到達を防止することで握り棒２１の露出部分２１ａが腐食してしまうことを防止できる。本実施形態では、支持部３１２側に液体の状態のシーリング部材５を塗布してから手すり２を支持部３１２に挿入しているが、手すり２の露出部分２１ａに液体の状態のシーリング部材５を塗布してから支持部３１２に挿入してもよい。なお、図５（ａ）および同図（ｂ）ではシーリング部材５の厚みを誇張して示しているが、実際には０．１ｍｍから２ｍｍ程度の厚みである。
【００５２】
次に、中間ブラケットについて説明する。図６（ａ）は、図１に示す中間ブラケットの分解斜視図である。この図６（ａ）では、左下方と右上方とを結ぶ方向が、握り棒２１の長手方向に相当する。
【００５３】
中間ブラケット３０３の説明では、第２端部ブラケット３０２との違いを説明し、第２端部ブラケット３０２の構成要素の名称と同じ名称の構成要素には、これまで用いた符号を付して説明し、重複する説明は省略することがある。
【００５４】
図６（ａ）に示すように、中間ブラケット３０３は、支持部３１２の壁部が省略されている点と、支持部３１２の内周面３１２ａの長手方向における中央部分に凸条３１２ｄが形成されている点とが、第２端部ブラケット３０２と異なる。凸条３１２ｄは、第２貫通孔３１２ｃが存在する部分を除いて内周面３１２ａのほぼ全周に支持部３１２と一体に形成されている。この凸条３１２ｄの長手方向の幅は、第２貫通孔３１２ｃの直径よりもやや狭く形成されている。
【００５５】
図６（ｂ）は、図１に示す手すりユニットのＢ部を拡大して示す図である。図６では、左右方向が握り棒の長手方向になる。なお、図６では、図面を簡略化するため、壁面および導線は省略している。
【００５６】
図６（ｂ）に示すように、中間ブラケット３０３の支持部３１２は、長手方向の両端が開口しており、その両端の開口から手すり２の端部がそれぞれ挿入されている。手すり２は、その端部が凸条３１２ｄに突き当たるまで支持部３１２に挿入されており、凸条３１２ｄによって手すり２のそれ以上の挿入が阻止されている。この凸条３１２ｄにより、施工時に手すり２の挿入長さを容易に設計値に一致させることができる。
【００５７】
次いで、上述した手すりユニット１を利用する態様の一例について説明する。
【００５８】
図１に示す、外壁面Ｗに設けられた人感センサ６が、手すりユニット１に接近する利用者を検知すると、図２（ａ）および図３に示すＬＥＤユニット２２に電力が供給され、ＬＥＤ２２２が発光する。これにより、屋外が暗い状態であっても、利用者は、手すりユニット１の存在や位置、形状等を明確に認識することができ、手すりユニット１を安全に使用することができる。さらに、本実施形態では、例えば、発光色が青白色のＬＥＤ２２２を用いた場合には、屋外避難通路Ｅ付近における照度が、２５ルクス〜３５ルクス程度になる。これにより、屋外避難通路Ｅに段差があったり屋外避難通路Ｅに障害物が置いてあったりしても、利用者は十分に段差や障害物を認識することができる。なお、ＬＥＤユニット２２の操作子を設け、この操作子を利用者が操作するとＬＥＤユニット２２が点灯する態様を採用してもよく、地震や火災などの災害発生時に自動的にＬＥＤユニット２２が点灯するようにしてもよい。
【００５９】
以上説明した、手すりユニット１によれば、手すりユニット１を屋外に配置したとしてもポリウレア樹脂の劣化が少ないため、手すりユニット１を長期間使用することができる。
【００６０】
本考案は上述の実施の形態に限られることなく実用新案登録請求の範囲に記載した範囲で種々の変更を行うことが出来る。例えば、上記実施形態では、屋外避難通路Ｅに手すりユニット１を配置しているが、屋内外の階段や屋内の通路に配置してもよい。屋内に配置した場合でも被膜４が無い場合と比較して手すりユニット１を長期間使用することができる。また、握り棒２１の端面形状および断面形状を、下方部分に凹部２１１を有する円形のものとしたが、端面形状および断面形状は、下方部分に凹部２１１を有する楕円形や角柱形など他の形状にしてもよい。さらに、断面形状が長手方向の途中で変化する形状としてもよい。また、ＬＥＤユニット２２は省略してもよい。ＬＥＤユニット２２を省略した場合、凹部２１１を形成しなくてもよく、被膜４を握り棒の表面全体に形成してもよい。また、本実施形態では、被膜４は、長手方向の両端部分でカバー表面２４１を覆うカバー両端被覆部４ｃを有するものとしたが、カバー両端被覆部４ｃは省略してもよい。また、人感センサ６は、ブラケット３や手すり２の内部に配置してもよく、人感センサ６を省略してもよい。また、ＬＥＤユニット２２の電源は、バッテリーから供給されてもよく、再生可能エネルギーを用いてもよい。
【符号の説明】
【００６１】
１    手すりユニット
２    手すり
２１    握り棒
２１ａ    露出部分
２１１    凹部
２１１ａ    底面
２１１ｂ    側壁
２１１ｃ    溝部
２１２    円形部分
２１３    縁部
２１４    下地塗装
２２    ＬＥＤユニット
２２１    基板
２２２    ＬＥＤ
２２３    クッションテープ
２３    導線
２４      照明カバー
２４１    カバー表面
３    ブラケット
３０１    第１端部ブラケット
３０２    第２端部ブラケット
３０３    中間ブラケット
３１    ブラケット本体
３１１    固定部
３１１ａ    ねじ孔
３１１ｂ    第１貫通孔
３１２    支持部
３１２ａ    内周面
３１２ｂ    支持縁部
３１２ｃ    第２貫通孔
３１２ｄ    凸条
３１２１    壁部
３１３    連結部
３１３ａ    第２貫通孔
４    被膜
５    シーリング部材
６    人感センサ
Ｅ    屋外避難通路
Ｗ    外壁面
【図１】
0003216448.tif 000003
【図２】
0003216448.tif 000004
【図３】
0003216448.tif 000005
【図４】
0003216448.tif 000006
【図５】
0003216448.tif 000007
【図６】
0003216448.tif 000008